(57)【要約】【課題】清掃しやすく、しかも冷却効果のある卓上設置用の飲料容器を提供すること。【解決手段】テーブルに置くベース５上にコック付きの栓体４を設け、液体を収容する筒体１の下端部に接続用下受け具１５の上部である下受け具本体１６を嵌め、接続用下受け具の下部である接続部１７を、栓体の筒状主壁２１の外側にＯリング２３を介して抜き差し可能に嵌め、主壁の内側に連続する案内壁２５を経てコックに液体を導く飲料容器において、冷媒３０を内蔵する第一冷却体６を、筒体の中に出し入れ可能に且つ液量増減によって昇降可能に設ける飲料容器。下受け具本体と案内壁の上下間に収納空間２０を設け、収納空間に第二冷却体７を出し入れ可能に収容する。下受け具本体と栓体の上下間にアタッチメント４０の外周部を挟持し、アタッチメントの内側に第三冷却体４１を起立して支持し、アタッチメントには液体を下側に通す導通孔４５をあける。【選択図】      図１
2007197010.tif 000002
【特許請求の範囲】
【請求項１】
テーブルに載置するベース（５）上にコック（３）付きの栓体（４）を設け、液体を収容する筒体（１）の下端部を栓体（４）の上部に嵌め込んでシールしてある飲料容器において、
冷媒（３０）を内蔵する第一冷却体（６）を、筒体（１）の中に出し入れ可能に、且つ液量の増減によって筒体（１）内を昇降可能に備えていることを特徴とする飲料容器。
【請求項２】
テーブルに載置するベース（５）上にコック（３）付きの栓体（４）を設け、液体を収容する筒本体（１１）の下端部に接続用下受け具（１５）の上部である下受け具本体（１６）を嵌め込み、接続用下受け具（１５）の下部である接続部（１７）を、栓体（４）の筒状主壁（２１）の外側にＯリング（２３）を介して抜き差し可能に嵌め込み、栓体主壁（２１）の内側に連続する案内壁（２５）を経てコック（３）に液体を導く飲料容器において、
下受け具本体（１６）と案内壁（２５）との上下間に冷却体収納空間（２０）を形成し、該収納空間（２０）に冷媒（３０）を内蔵した第二冷却体（７）を出し入れ可能に収容してあることを特徴とする飲料容器。
【請求項３】
テーブルに載置するベース（５）上にコック（３）付きの栓体（４）を設け、液体を収容する筒本体（１１）の下端部に接続用下受け具（１５）の上部である下受け具本体（１６）を嵌め込み、接続用下受け具（１５）の下部である接続部（１７）を、栓体（４）の上部外側にＯリング（２３）を介して抜き差し可能に嵌め込んである飲料容器において、
下受け具本体（１６）と栓体（４）の上下間に冷却体支持アタッチメント（４０）の外周部を挟持する状態で保持し、アタッチメント（４０）の内側に冷媒（３０）を内蔵した第三冷却体（４１）を支持すると共に、第三冷却体（４１）を筒本体（１１）内に達するまで起立し、アタッチメント（４０）に液体が流通する導通孔（４５）を設けていることを特徴とする飲料容器。
【発明の詳細な説明】
【技術分野】
【０００１】
本発明はテーブルに載置した状態で液体（ビール、ジュース等）を注出することのできる大型の飲料容器に関するものである。
【背景技術】
【０００２】
出願人は、テーブルに載置するベースの上に、コック付きの栓体を介して、液体を収容する筒体を起立し、筒体の下部を栓体に対して引き抜き可能に嵌め込んだ飲料容器を発明している（特許文献１）。
【特許文献１】特許第３１４４７８１号公報
【０００３】
上述した飲料容器はその中にビール等を入れて使用することから、清掃しやすい構造は衛生面上、大変有用である。
【０００４】
また、上記飲料容器は筒体を二重壁構造とし、二重壁の中間に位置する断熱層によって、室内の熱を筒体内のビールに伝え難くしている。従って、飲料容器に入れた液体を、かなりの時間、冷たい温度で維持できる。しかしながら、二重壁構造は液体と室内の空気との間の熱伝達を遮断して液体の温度上昇を阻止することを目的としたものであり、液体をより冷たいものによって積極的に冷やすという、冷却効果はない。冷却効果があれば、より冷たいものを飲みたいという人の需要にも応えることができるし、二重壁構造等の保冷構造と組み合わせることによって、従来よりも長時間に亘って冷たい飲料を飲むことができる。特に、飲料容器内の液体の残量が減ってきた場合には、飲料容器内には減った分だけ空気が入り、空気の熱によって液体がぬるくなるので、冷却効果のある構造は有用と言える。
【発明の開示】
【発明が解決しようとする課題】
【０００５】
本発明は上記実情を考慮して創作されたもので、その目的は、清掃しやすく、しかも、冷却効果のある飲料容器を提供することである。
【課題を解決するための手段】
【０００６】
請求項１の発明は、テーブルに載置するベース上にコック付きの栓体を設け、液体を収容する筒体の下端部を栓体の上部に嵌め込んでシールしてある飲料容器において、冷媒を内蔵する第一冷却体を、筒体の中に出し入れ可能に収容すると共に、液量の増減によって筒体内を昇降可能に設けてあることを特徴とする。栓体と筒体は抜き差し可能な構造であっても良いし、抜き差し不能な一体構造であっても良い。抜き差し不能な一体構造の場合は、筒体の上から第一冷却体を挿入すれば、第一冷却体を出し入れ可能にできる。また、抜き差し可能な場合の場合としては、例えば、栓体と筒体との接合面を末広がり状のテーパー面に形成し、栓体側の接合面上に幅広のＯリング溝を、その溝の深さ方向が下方に向かって浅くなる構造の場合とすることが望ましい。そして、抜き差し可能な場合には、筒体から栓体を引き抜けば、栓体の上に第一冷却体を載せたり、栓体の上に載った第一冷却体を取り外せるので、第一冷却体の出し入れが容易にできる。
【０００７】
課題を解決する別の手段としては、請求項２の発明のように、テーブルに載置するベース上にコック付きの栓体を設け、液体を収容する筒本体の下端部に接続用下受け具の上部である下受け具本体を嵌め込み、接続用下受け具の下部である接続部を、栓体の筒状の主壁の外側にＯリングを介して抜き差し可能に嵌め込み、栓体の主壁の内側に連続する案内壁を経てコックに液体を導く飲料容器において、下受け具本体と案内壁との上下間に冷却体収納空間を形成し、該収納空間に冷媒を内蔵した第二冷却体を出し入れ可能に収容してあることを特徴とするものでも良い。収納空間を形成するには、例えば接続部を長く形成し、その上側部分の内側を収納空間とし、その下側部分を栓体に嵌め込むものが挙げられる。第二冷却体を取付ける際には案内壁の上に載せて、栓体に接続用下受け具の下部である接続部を嵌め込むだけでよく、着脱作業が容易にできる。
【０００８】
課題を解決するさらに別の手段としては、請求項３の発明のように、テーブルに載置するベース上にコック付きの栓体を設け、液体を収容する筒本体の下端部に接続用下受け具の上部である下受け具本体を嵌め込み、接続用下受け具の下部である接続部を、栓体の上部外側にＯリングを介して抜き差し可能に嵌め込んである飲料容器において、下受け具本体と栓体の上下間に冷却体支持アタッチメントの外周部を挟持する状態で保持し、アタッチメントの内側に冷媒を内蔵した第三冷却体を支持すると共に、第三冷却体を筒本体内に達するまで起立し、アタッチメントには液体を下側に通す導通孔をあけてあるものでも良い。第三冷却体を取付ける際には栓体の上に、第三冷却体を取付けたアタッチメントを載せ、栓体に接続用下受け具の下部である接続部を嵌め込むだけでよく、着脱作業が容易にできる。
【発明の効果】
【０００９】
請求項１の発明は、冷媒を内蔵する第一冷却体を筒体内に収容するので、液体を積極的に冷やす冷却効果が得られる。また、第一冷却体は出し入れ可能なので、筒体から取り外して清掃することもできる。さらに、液量の増減によって筒体内を昇降するので、常時、液体に浮かんでおり、冷やされた液体が下方に降り、その反作用としてぬるい液体が上昇する対流作用を巧みに利用して液体を冷やすことができる。
【００１０】
請求項２の発明は、栓体の直ぐ上側に冷却体用の収納空間を形成し、第二冷却体を収容してあるので、抽出直前の液体を積極的に冷やす冷却効果が得られる。また、第二冷却体は出し入れ可能なので、取り外して清掃することもできる。冷蔵庫に入れて蓄冷し、反復使用することも可能である。栓体が不透明な場合は収納空間に収容した第二冷却体は外部から見えないので、体裁も良い。
【００１１】
請求項３の発明は、第三冷却体を筒体内に起立する状態で支持しているので、液体を積極的に冷やす冷却効果が得られる。また、第三冷却体を支持するアタッチメントが栓体と下受け具本体の上下間に挟持する状態で保持されているので、栓体を外せば第三冷却体がアタッチメントごと外れ、清掃することができる。さらにアタッチメントは導通孔を穿設しているので、液体の通過は自由である。
【発明を実施するための最良の形態】
【００１２】
飲料容器の第一例は図１、図２に示すように、液体を入れる筒体１の上に蓋２を開閉可能に設け、筒体１の下端部にコック３付きの栓体４を抜き差し可能に嵌め込み、栓体４の下に設置用のベース５を設け、液量の増減によって昇降する第一冷却体６を筒体１の中に出し入れ可能に収容し、筒体１の下部と栓体４の間に第二冷却体７を位置決めして出し入れ可能に収容したものである。なお、蓋２には図示しないが空気孔をあけてある。
【００１３】
筒体１は、内筒８の外側に断熱空間９を介して外筒１０を同心円状に配置した二重壁構造の筒本体１１と、内筒８と外筒１０の上部間及び下部間にそれぞれ嵌め込んで二重壁の間隔を保持する一対の間隔保持具１２、１３と、上側間隔保持具１２の付いた筒本体１１の上部に嵌めこんで二重壁構造を保持する上受け具１４と、下側間隔保持具１３の付いた筒本体１１の下部に嵌め込んで二重壁構造を保持する機能と栓体４に着脱可能に嵌め込んで接続する機能を兼備する接続用下受け具１５とから構成してある。
【００１４】
上受け具１４は同心円状の下向き溝付のリング形状であって、筒体１の上部をその円周方向に亘って内外及び上面から断面コ字状にくわえるものである。そして、上受け具１４に蓋２を着脱可能に嵌め込む。また、接続用下受け具１５は、筒本体１１の下部をその円周方向に亘って内外及び底面から断面コ字状にくわえる、上向き溝付のリング形状の下受け具本体１６と、下受け具本体１６の下部外周側から垂下する筒状の接続部１７を有し、接続部１７のうち下部を栓体４への嵌合部１８とし、接続部１７のうち上部を第二冷却体７の収納部１９とする。収納部１９の内側が、第二冷却体収納空間２０となる。接続用下受け具１５を不透明にした場合には、内部に第二冷却体７が入っていることを外部から目視できないので、体裁が良い。
【００１５】
コック３付きの栓体４は、筒体１の下側からの液漏れを防ぎ、高さ中間部に取り付けたコック３から液体を注ぎ出すものである。栓体４は、筒状の主壁２１をその上部に対して下部を一回り張り出した段差形状に形成し、主壁２１の上部外周面に沿って幅広のＯリング溝２２を上下に間隔をあけて複数設けてある。Ｏリング溝２２は全体として上から下に向かって深さが浅くなるテーパー状に形成し、Ｏリング溝２２の上端部に収まったＯリング２３の外周部が主壁２１よりも外側にはみ出す。そして、はみ出した部分が接続用下受け具１５の嵌合部１８を嵌め込む際にその内周面に当たり、嵌合部１８が嵌まり込むことによってＯリング２３を押し潰してシールが確保される。また、栓体４と筒体１は図示しない連結金具を用いることによって、一体化した状態を確保する。
また、主壁２１の高さ中間部には、コック３を付ける管状の取付口２４を外側に突出し、主壁２１の上端周囲に沿って、液体を中央に集中させる案内壁２５を下窄まり（漏斗状）に連続して垂下し、案内壁２５の下端には液体を取付口２４に導く導入壁２６を連続して設けてある。なお、詳しく言えば、案内壁２５は平面視すると、図３に示すように主壁２１の上端周囲のうち取付口側を除いた部分で連続するＣ字状である。そして、案内壁２５のうち、取付口側端部及び中央下側のＣ字状集中口２７に対して、反取付口側を封鎖した断面Ｕ字状の導入壁２６を、連続してある。
【００１６】
第一冷却体６は、底無しの筒状冷却ケース２８の肉厚方向内部に筒状空洞部２９を有し、空洞部２９に冷媒３０を充填したものである。第一冷却体６はその外径を筒本体１１の内径よりも小径に形成して、筒本体１１内を液量の増減によって昇降可能としてある。また、第一冷却体６を筒状とすることによって、その内外から効率良く冷気を液体に伝えている。さらに、第一冷却体６は表面に凹凸のない筒状であるので、洗いやすい。
【００１７】
冷媒３０としては、例えば小麦澱粉などの有機増粘剤に水を加えてペースト状物を調整し、これに塩化ナトリウムを主成分とする塩を５〜１６重量％添加して粘度を２〜３０００ポイズにしたものを用いる。このような冷媒３０は−２００℃程度に冷却されてもペースト状態を保ち、その温度低下に伴う膨張が小さく、このため冷却ケース２８が変形したり破損したりするのを防止できる。冷媒３０自体に浮力が無い場合には、冷却ケース２８に冷媒３０と共に空気を充填して、液体に浮かせる。
【００１８】
第二冷却体７は、第一冷却体６と基本的には同一構造である。異なる点の一つ目として、図４の詳細図に示すように、表面積を増やして放熱効果を向上するために、全体として筒状の内周形状を、平面視して凹凸の連続する形状、具体的には頂点箇所を滑らかに連続した星状としてある。異なる点の二つ目としては、第二冷却体７は図１、図２に示すように、その外径寸法を収納部１９の内径より小さく且つ下受け具本体１６の内径よりも大きく形成すると共に、その高さ寸法を、収納空間２０よりも僅かに小さく形成してある。従って、第二冷却体７はその上下を下受け具本体１６と案内壁２５によって規制され、位置決めされる。異なる点の三つ目として、第二冷却体７はその下部を案内壁２５の上面に沿う下窄まり状とし、下窄まりの下部の中央から液体を下方に導くことによって、単なる真っ直ぐな筒状よりも冷却効果を高めている。第二冷却体７の製造方法の一例としては、冷却ケース２８を恰も水平方向に割って上下に二分した形態の一対の半割体３１，３２を用意し、一対の半割体３１，３２を突合せ、その突合せ箇所を例えば熱溶着して一体化し、図４に示すように一方の半割体３２の底にあけた抜穴Ｈから冷媒３０をいれて詰栓Ｓをするものが挙げられる。第一冷却体６も同様に製造する。
【００１９】
ベース５は栓体４が付いた筒体１を安定して起立させておくためのもので、栓体４に取り付けるベース本体３３と、ベース本体３３から末広がり状に垂下する脚３４からなる。ベース本体３３は、その上部をそれより下側に対して小径に形成した段差形状に形成することによって、栓体４への連結部３５とし、連結部３５を栓体４の主壁２１の下部に嵌め込む。またベース本体３３の下部を末広がり状としてある。
【００２０】
コック３は開閉用レバー３６が付いたコック本体３７と、栓体４の取付口２４に嵌めた雌ネジ３８にねじ込む雄ネジ３９とからなり、雄ネジ３９内からコック本体３７に液体を導き、レバー３６の操作によってコック本体３７内の栓を開閉して液体を出したり止めたりする。
【００２１】
飲料容器の第二例は図５に示すように、接続用下受け具１５と栓体４との上下間に第三冷却体用のアタッチメント４０の外周部を係止し、アタッチメント４０を介して棒状の第三冷却体４１を筒体１内の中央部に起立したことを特徴とするものである。第三冷却体４１は、細長いチューブ状の冷却ケース２８内に冷媒３０を入れ、冷却ケース２８の下側口部にキャップ４２を閉めたもので、表面が内外部に向けて凸凹しており、先端部（上端部）を先細り形状としてある。
【００２２】
アタッチメント４０は全体としてワッカ状であって、第三冷却体４１の下部の周囲を囲むリング４３と、リング４３の下端から外側に突出する鍔４４とからなる。第三冷却体４１の下部の一部を局部的に小径にして段差状とすることによって、リング４３に対して第三冷却体４１が位置決めされた状態で嵌まり込む。また、鍔４４は、リング４３の下端に連続する内周側から外周側に向かって徐々に高くなる勾配が付いた下窄まり状であって、その底面を案内壁２５の上面に沿わせるものとし、その外周部が下受け具本体１６と案内壁２５とで同心状に形成されるほぼ環状の隙間に嵌まり込んで（挟まれて）取り付けられる。さらに、鍔４４には液体を通す導通孔４５が導入壁２６の真上側に穿設してあって、液体が導通孔４５を経てその下側の導入壁２６の内側に導かれる。第三冷却体４１のキャップ４２は案内壁２５の下端集中口２７から導入壁２６の奥部に嵌まり込んで安定している。なお、上受け具１４及び下受け具本体１６は二重壁構造の筒本体１１を嵌める溝を同心円状に二つ設けてある。
【００２３】
本発明は筒体１を二重壁構造としていることと、第一〜第三冷却体６，７，４１を内部に収容していることの相乗効果によって、優れた冷却効果が得られる。
【００２４】
本発明は上記例に限定されない。例えば飲料容器は第一冷却体６、又は第二冷却体７のみを収容する構造であっても良い。また、筒本体１１を透明にしておけば、内部に第一冷却体６や第三冷却体４１が入っていることを外部から目視でき、清涼感を与えることができる。
【図面の簡単な説明】
【００２５】
【図１】飲料容器の第一例を示す縦断面図である。
【図２】飲料容器の第一例を分解した縦断面図である。
【図３】栓体と第二冷却体等の関係を示す平面図である。
【図４】（イ）〜（ニ）図は第二冷却体の詳細構造を示す平面図、底面図、縦断面図、抜穴と詰栓の関係を示す断面図である。
【図５】飲料容器の第二例を示す縦断面図である。
【符号の説明】
【００２６】
１  筒体，  ２  蓋，  ３  コック，  ４  栓体、  ５  ベース，  ６  第一冷却体
７  第二冷却体，  ８  内筒，  ９  断熱空間、  １０  外筒，  １１  筒本体
１２，１３  間隔保持具，  １４  上受け具，  １５  接続用下受け具
１６  下受け具本体，  １７  接続部，  １８  嵌合部，  １９  収納部
２０  収納空間，  ２１  主壁，  ２２  Ｏリング溝，  ２３  Ｏリング
２４  取付口，  ２５  案内壁，  ２６  導入壁，  ２７  集中口
２８  冷却ケース，  ２９  空洞部，  ３０  冷媒，  ３１，３２  半割体
３３  ベース本体，  ３４  脚，  ３５  連結部，  ３６  レバー
３７  コック本体，  ３８  雌ネジ，  ３９  雄ネジ，  ４０  アタッチメント
４１  第三冷却体，  ４２  キャップ，  ４３  リング，  ４４  鍔，  ４５  導通孔
Ｈ  抜穴，  Ｓ  詰栓
【図１】
2007197010.tif 000003
【図２】
2007197010.tif 000004
【図３】
2007197010.tif 000005
【図４】
2007197010.tif 000006
【図５】
2007197010.tif 000007